(57)【要約】    【課題】  ブラジャーやショーツが汗で濡れるのを防止し、衣服の外部への影響を抑えてブラジャーやショーツの内面側に配置し肌に密着状に装着可能であって、ブラジャーやショーツを装着した状態でも取外し可能な汗吸収体を提供する。    【解決手段】  汗吸収体１は、ブラジャーとは別体で吸水性のある膜状体からなる汗吸収体であって、少なくともブラジャー６の左右のカップ部６Ａ，６Ｂの内面側に配置可能な左右のカップ対応部２Ａ，２Ｂを有し、前記ブラジャー６を装着した状態でブラジャー６により左右のカップ対応部２Ａ，２Ｂを胸部Ｗａの乳部Ｗｂに密着状に保持可能に構成したものである。  【選択図】  図３
2007031843.tif 000002
【特許請求の範囲】
【請求項１】
ブラジャーとは別体で吸水性のある膜状体からなる汗吸収体であって、
少なくともブラジャーのカップ部の内面側に配置可能なカップ対応部を有し、前記ブラジャーを装着した状態でブラジャーにより前記カップ対応部を胸部の乳部に密着状に保持可能に構成すると共に、前記ブラジャーを装着した状態で取外し可能に構成したことを特徴とする汗吸収体。
【請求項２】
吸水性に優れる不織布で構成されたことを特徴とする請求項１に記載の汗吸収体。
【請求項３】
この汗吸収体を取外す際に手で把持する為の１又は複数の把持部を有することを特徴とする請求項１又は２に記載の汗吸収体。
【請求項４】
前記カップ対応部を含み胸部の前面に配置される胸部前面対応部と、胸部の背面に配置される胸部背面対応部と、胸部前面対応部の上端部分と胸部背面対応部の上端部分とを接続する左右１対の肩対応部と、胸部前面対応部と胸部背面対応部と左右１対の肩対応部との間に形成され頭部を通過可能な開口部とを有することを特徴とする請求項１〜３の何れかに記載の汗吸収体。
【請求項５】
前記汗吸収体を装着した状態で、胸部前面対応部の左右の両端付近部と、胸部背面対応部の左右の両端付近部とを夫々連結可能な連結部材を設けたことを特徴とする請求項４に記載の汗吸収体。
【請求項６】
ショーツとは別体の吸水性のある膜状体からなる汗吸収体であって、
少なくともショーツの前面部の内面側に配置可能な臀部前面対応部を有し、前記ショーツを装着した状態でショーツにより臀部前面にほぼ密着状に保持可能に構成したことを特徴とする汗吸収体。
【発明の詳細な説明】
【技術分野】
【０００１】
本発明は、ブラジャーやショーツの内面側に配置し肌に密着状に装着して汗を吸収する汗吸収体に関するものである。
【背景技術】
【０００２】
従来、下着や衣服が汗で濡れた状態の不快感を無くすべく、衣服の下に装着でき、衣服を付けたままで脱衣できる、上半身全体を覆う形状の汗取り用下着が実用化されている。
例えば、特許文献１には、上着・シャツ等を脱がずに、汗取り下着の前後の身ごろを分離することで取り除くことができる、タオル地からなる汗取り下着が開示されている。
【０００３】
特許文献２には、汗取り下着の前後の身ごろの裾部に引出し紐を設け、この引出し紐を引っ張ることで、衣服を着たまま容易に脱衣できる汗取り下着が開示されている。
特許文献３には、特に乳幼児や寝たきりの老人や病人等、他人が着衣させたり、脱衣させたりする際の便宜に資すべく、うさぎの顔の形状の汗取り布が開示されている。
また、腋にかいた汗を衣服に吸収させない目的で、衣服の腋対応部分のみに簡単に着脱可能な、腋用汗取りパッドは、実用に供されている。
【特許文献１】特開２００５−０４２２７２号公報
【特許文献２】特開２００２−１０５７０１号公報
【特許文献３】実開平９−０００１７１号公報
【発明の開示】
【発明が解決しようとする課題】
【０００４】
従来の一般的な汗取り用下着は、女性がブラジャーを着用することを考慮せずに、上半身の前面と背面の全体を覆う形状であるため、汗取り用下着の外側にブラジャーを装着することは困難である。仮に、汗取り用下着の外側にブラジャーを装着できたとしても、装着感は非常に悪く、また、汗取り用下着を取り外すためにブラジャーを脱衣しなければならないため、この汗取り用下着の取り外しが困難になる。逆に、汗取り用下着の内側にブラジャーを装着した場合は、ブラジャーが直接肌に密着して汗を吸収してしまうので、汗取り用下着を付けていても、ブラジャーが濡れた不快な状態で過ごさなければならない。
【０００５】
また、従来の汗取り用下着は、上半身の前面と背面の全体を大きく覆う形状であるので、衣服の下に汗取り用下着を装着した場合、その汗取り用下着が衣服の外部へ露出したり、外部から汗取り用下着の装着状態がはっきり見えてしまって、見栄えが悪くなる虞があり、つまり、衣服の外部へ影響してしまう。特に、気温が上昇し汗をかき易い春や夏の季節に、この汗取り用下着の使用頻度が高くなるが、この季節は薄着になるため、前記問題が顕著になる。また、従来の汗取り用下着は、上半身の前面と背面の全体を大きく覆う形状であるので、汗取り用下着が大型化し、製造コストが高くなる。
【０００６】
本発明の目的は、ブラジャーやショーツが汗で濡れるのを防止し、外部への影響を抑えてブラジャーやショーツの内面側に配置し肌に密着状に装着可能であって、ブラジャーやショーツを装着した状態でも取外し可能な汗吸収体を提供することである。
【課題を解決するための手段】
【０００７】
請求項１の汗吸収体は、ブラジャーとは別体で吸水性のある膜状体からなる汗吸収体であって、少なくともブラジャーのカップ部の内面側に配置可能なカップ対応部を有し、前記ブラジャーを装着した状態でブラジャーにより前記カップ対応部を胸部の乳部に密着状に保持可能に構成すると共に、前記ブラジャーを装着した状態で取外し可能に構成したことを特徴とする。
【０００８】
この汗吸収体は、そのカップ対応部をブラジャーのカップ部の内面側に配置して使用するため、身体に密着させるための伸縮性のあるゴム部等の機能を特別に設けることなく、女性が日常用いる、既存のブラジャーをバンドの代わりにすることで、身体に簡単に密着させることができ、少なくとも胸部の乳部にかいた汗を吸収することができる。汗吸収体が汗を吸収して濡れた状態になった場合には、ブラジャーを装着した状態のままブラジャーの内側から汗吸収体を引き抜くことで取外すことができる。
【０００９】
請求項２の汗吸収体は、請求項１の発明において、吸水性に優れる不織布で構成したことを特徴とする。吸水性に優れる不織布を用いることで、肌から排出された汗を瞬時に確実に吸収でき、ブラジャーや衣服が汗で濡れることを確実に防止できる。
【００１０】
請求項３の汗吸収体は、請求項１又は２の発明において、この汗吸収体を取外す際に手で把持する為の１又は複数の把持部を有することを特徴とする。汗吸収体が汗を吸収して濡れた状態になった際は、把持部を引っ張ることで、簡単に使用済みの汗吸収体を取外すことができる。
【００１１】
請求項４の汗吸収体は、請求項１〜３の何れかの発明において、前記カップ対応部を含み胸部の前面に配置される胸部前面対応部と、胸部の背面に配置される胸部背面対応部と、胸部前面対応部の上端部分と胸部背面対応部の上端部分とを接続する左右１対の肩対応部と、胸部前面対応部と胸部背面対応部と左右１対の肩対応部との間に形成され頭部を通過可能な開口部とを有することを特徴とする。
【００１２】
胸部前面対応部及び胸部背面対応部及び左右１対の肩対応部を設けることで、ブラジャーの内面側の略全面に汗吸収体を配置でき、汗を吸収できる面積が多くなるので、その分汗吸収体としての機能が高まる。また、頭部を通過可能な開口部を有するので、汗吸収体を頭部から被るようにして簡単に装着でき、左右１対の肩対応部を肩部に掛けて、胸部前面対応部と胸部背面対応部を胸部の前面と背面を覆うように位置させた後、ブラジャーを上から重ねて装着することで、汗吸収体を身体に確実に密着させることができる。
【００１３】
請求項５の汗吸収体は、請求項４の発明において、前記汗吸収体を装着した状態で、胸部前面対応部の左右の両端付近部と、胸部背面対応部の左右の両端付近部とを夫々連結可能な連結部材を設けたことを特徴とする。連結部材を設けたので、汗吸収体を装着する際、連結部材で胸部前面対応部と胸部背面対応部の左右両端付近部同士を夫々連結することで、胸部前面対応部と胸部背面対応部を胸部の前面と背面を覆うように位置させた状態を極力保持し、ブラジャーを上から重ねて装着し易くなる。また、この連結部材による連結構造を簡易なものにして、使用済みの汗吸収体をブラジャーの内側から取外す際も、先に連結を容易に解除して、連結部材がない場合と同様に簡単に取外すことが可能である。
【００１４】
請求項６の汗吸収体は、ショーツとは別体の吸水性のある膜状体からなる汗吸収体であって、少なくともショーツの前面部の内面側に配置可能な臀部前面対応部を有し、前記ショーツを装着した状態でショーツにより臀部前面にほぼ密着状に保持可能に構成したことを特徴とする。
【発明の効果】
【００１５】
請求項１の汗吸収体によれば、ブラジャーとは別体で構成されるため、構造を小型化且つ簡単化でき、製作コストを低減できる。経済面を重視すれば、汗を吸収した使用済みのものを簡単に洗うことで再利用可能に構成できるし、逆に衛生面を重視すれば、使い捨て可能に構成にして常に新品のものを使用することも可能である。また、この汗吸収体を適度なサイズ、形状（その他、柔らかさ、伸縮性等々）とすることで、種々のサイズ、形状のブラジャーに対応させて簡単に装着できるので、汎用性が高まり、ブラジャーを装着した状態で取外しできるため、利便性が高まる。
【００１６】
また、この汗吸収体は、吸水性のある膜状体からなるので、装着感を良くした上で汗を効果的に吸収でき、ブラジャーの少なくともカップ部が汗で濡れて不快な状態となることを防止できるとともに、首や顔や頭部から排出された汗が乳部側へ流れてきた場合でも、汗吸収体で素早く確実に吸収されるため、乳部の下側へ流れることを防止可能になる。
【００１７】
カップ部の内面側に配置可能で、胸部の乳部に密着状に保持されるので、ブラジャーで押さえることで、肌に密着状に簡単に装着することが可能となり、ブラジャーのみを装着しているのと同じ感覚で使用でき、使用による不快感は生じない。また、衣服の下に透けて見えるという外部への影響は少なく、ブラジャーを装着した際と殆ど差異はなく、汗吸収体を使用することによる抵抗も少なくなる。
【００１８】
また、ブラジャーを装着した状態で取外し可能であるため、汗を吸収して濡れた状態の吸収体を外出先の公衆トイレや会社の更衣室等で簡単に取外すことができるし、更に汗をかくことが予測出来る場合は、取外すと同時に新しい汗吸収体をブラジャーの内側に簡単に装着することができる。このため、濡れた状態の汗吸収体が肌に密着したままの不快感を防止し、常に爽快な状態を保持することができる。
【００１９】
請求項２の汗吸収体によれば、吸水性に優れる不織布で構成されているので、身体から排出された汗を瞬時に確実に吸収でき、ブラジャーや衣服が汗を吸い込むことを防止できる。また、薬剤や抗菌剤をコーティングした不織布を使用すれば、抗菌性、防臭性に優れた汗吸収体を提供することも可能となる。
【００２０】
請求項３の汗吸収体によれば、手で把持する為の１又は複数の把持部を有するので、汗吸収体を装着した状態で、把持部を引っ張ることで、汗吸収体を簡単に取外しできる。
【００２１】
請求項４の汗吸収体によれば、胸部の前面に配置される胸部前面対応部により、胸部前面側で排出された汗を瞬時に吸収でき、胸部の背面に配置される胸部背面対応部により、同様に、胸部背面側で排出された汗を瞬時に吸収でき、左右１対の肩対応部により、同様に、肩付近で排出された汗を瞬時に吸収できる。また、首や顔や頭部から排出された汗が胸部前面側、胸部背面側、肩側に流れてきた場合でも、その汗を胸部前面対応部、胸部背面対応部、１対の肩対応部で吸収できる。
【００２２】
依って、汗がブラジャーのカップ部に吸い込まれたり、その下方へ流れること、汗がブラジャーのバンド部に吸い込まれたり、その下方へ流れること、汗がブラジャーの肩紐部に吸いこまれたり、その下方（例えば、汗をかきやすく且つ汗が留まりやすい腋）へ流れること、を確実に防止することが可能になり、長時間汗が肌に付着することによるかぶれや汗疹を防止でき、ブラジャーが汗で濡れた不快な状態を防止できる。
【００２３】
また、左右１対の肩対応部で胸部前面対応部と胸部背面対応部を接続するので、左右１対の肩対応部が肩部に掛かって、胸部前面対応部と胸部背面対応部を胸部の前面と背面を覆うように位置させ、汗吸収体が装着時にずれ下がってしまったり、ブラジャーの内側で横に移動して胸部周りに回転したりすることを防止できる。
【００２４】
請求項５の汗吸収体によれば、連結部材により、身体の胸部側面側において胸部前面対応部と胸部背面対応部を連結できるので、汗吸収体のみを身体に装着した際の装着性が増し、胸部前面対応部と胸部背面対応部を胸部の前面と背面を覆うように位置させた状態を極力保持し、汗吸収体の上からブラジャーを装着し易くなる。
【００２５】
請求項６の汗吸収体によれば、ショーツとは別体で構成されるため、汗を吸収した使用済みのものを簡単に洗うことで再利用可能に構成できるし、使い捨て可能に構成して常に新品のものを使用することもできるので衛生的である。また、この汗吸収体を適度なサイズ、形状（その他、柔らかさ、伸縮性等々）とすることで、種々のサイズ、形状のショーツに対応させて簡単に装着することができるので、汎用性が高まり、ショーツを装着した状態で取外しできるため、利便性が高まる。また、この汗吸収体は、吸水性のある膜状体からなるので、汗を効果的に吸収でき、ショーツが汗を吸収して、ショーツが汗で濡れて不快な状態となることを防止できる。
【００２６】
ショーツの前面部の内面側に配置可能な臀部前面対応部を有し、ショーツを装着した状態でショーツにより臀部前面にほぼ密着状に保持可能に構成されるので、ショーツで汗吸収体を押さえることで、肌に確実に密着することができ、ショーツのみを着衣しているのと同じ感覚で使用でき、使用による不快感は生じない。ショーツを装着した際の外部への影響は少なく、汗吸収体を使用することによる抵抗も少なくなる。
【発明を実施するための最良の形態】
【００２７】
本発明に係る汗吸収体は、ブラジャーやショーツの内面側に配置されて肌に密着状に装着され、身体から排出した汗をブラジャーやショーツが吸収する前に吸収して、汗でブラジャーやショーツが湿った状態になって不快になるのを防止できるものである。
【実施例１】
【００２８】
以下、本発明の実施例について図面を参照して説明する。
図１は、汗吸収体１の伸長状態の平面図であり、図２は、身体Ｗに汗吸収体１を装着した状態を示す図であり、図３は、身体Ｗに汗吸収体１を装着した状態でブラジャー６を装着した状態を示す図である。
【００２９】
図１〜図３に示すように、汗吸収体１は、ブラジャー６の右カップ部６Ａと左カップ部６Ｂの内面側に夫々配置可能な右カップ対応部２Ａと左カップ対応部２Ｂ、左右のカップ対応部２Ａ，２Ｂを含み且つ胸部Ｗａの前面に配置される胸部前面対応部３、ブラジャー６の背面側のバンドの内面側に配置可能で且つ胸部Ｗａの背面に配置される胸部背面対応部４、ブラジャー６の右肩紐部７Ａと左肩紐部７Ｂの内面側に夫々配置可能で且つ胸部前面対応部３の上端部分と胸部背面対応部４の上端部分とを接続する左右１対の肩対応部５Ａ，５Ｂ、胸部前面対応部３と胸部背面対応部４と左右の肩対応部５Ａ，５Ｂとの間に形成され頭部を通過可能な開口部Ｍを備えている。また、胸部前面対応部３の左右方向中央の少なくとも上部分は、胸部の右乳部Ｗｂと左乳部Ｗｂの間の凹状の谷間部で流れてきた汗を効果的に大量に吸収できるように、他の部分に比べ厚みを帯びて肌に密着し易い形状に形成されている。なお、この部分を他の部分と分離して必要に応じて着脱可能に構成してもよい。
【００３０】
汗吸収体１は、ブラジャー６とは別体で吸水性のある膜状体からなり、例えば、吸水性に優れる不織布で構成されている。左右のカップ対応部２Ａ，２Ｂは予め前側へ少し膨らんだ形状に形成され、これらカップ対応部２Ａ，２Ｂの上端部から左右の肩対応部５Ａ，５Ｂが延びている。この汗吸収体１を装着した状態でブラジャー６を装着した場合（図３参照）に、胸部前面対応部３は、その大部分がブラジャー６のカップ部６Ａ，６Ｂを含む前部で覆い隠されるように構成され、また、胸部背面対応部４は、その一部分がブラジャー６の背面側のバンドで覆い隠されるように構成されている。また、肩紐部７Ａ，７Ｂの幅は、ブラジャー６の肩紐部７Ａ，７Ｂの幅よりも幅広に形成されている。
【００３１】
この汗吸収体１を身体Ｗに装着する場合は、基本的に、ブラジャー６を取り外した状態で行う。この場合、図２に示すように、汗吸収体１を頭部から被るように、開口部Ｍに頭部を通過させて装着する。すると、左右の肩対応部５Ａ，５Ｂが肩部Ｗｃに掛かり、胸部前面対応部３と胸部背面対応部４が胸部Ｗａの前面と背面を覆い、左右のカップ対応部２Ａ，２Ｂが乳部Ｗｂを覆うように位置合わせする。胸部前面対応部３と胸部背面対応部４は、身体Ｗの左右両側では繋がっておらず取外す際の便宜のため開放状態となっている。
【００３２】
次に、汗吸収体１を身体Ｗに装着した状態でブラジャー６を装着する。この場合、図３に示すように、右カップ対応部２Ａにブラジャー６の右カップ部６Ａを、左カップ対応部２Ｂにブラジャー６の左カップ部６Ｂを夫々重ね、左右の肩対応部５Ａ，５Ｂの上にブラジャー６の左右の肩紐７Ａ，７Ｂが重なるようにブラジャー６の装着位置を合わせ、ブラジャー６の背中側に設けられた接合部であるフック（図示略）を通常の方法で接合することで身体Ｗに装着すると、汗吸収体１の左右のカップ対応部２Ａ，２Ｂが胸部Ｗａの左右の乳部Ｗｂに密着状に保持され固定され、このカップ対応部２Ａ，２Ｂを含む胸部前面対応部３、胸部背面対応部４、肩対応部５Ａ，５Ｂも肌に密着状に保持され固定される。
【００３３】
ここで、左右の肩対応部５Ａ，５Ｂは、使用後に汗吸収体１を取外す際に手で把持して引っ張るための把持部としての機能を備えている。すなわち、ブラジャー６を装着した状態でブラジャー６の右肩紐７Ａの下に右肩対応部５Ａが位置し、左肩紐７Ｂの下に左肩対応部５Ｂが位置するが、右肩対応部５Ａを右肩紐７Ａから左側へずらして上方向へ、左肩対応部５Ｂを左肩紐部７Ｂから右側へずらして上方向へ引き抜くことで、肩対応部５で接続された胸部前面対応部３及び胸部背面対応部４が同時に引っ張られて、ブラジャー６の内側から簡単に取外すことが可能である。
【００３４】
この汗吸収体１によれば、ブラジャー６とは別体で構成されるため、構造を小型化且つ簡単化でき、製作コストを低減できる。また、この汗吸収体１を適度なサイズ、形状（その他、柔らかさ、伸縮性等々）とすることで、種々のサイズ、形状のブラジャー６に対応させて簡単に装着できるので、汎用性が高まり、ブラジャー６を装着した状態で取外しできるため、利便性が高まる。
【００３５】
汗吸収体１を吸水性に優れる不織布で構成したので、身体から排出された汗を瞬時に確実に吸収でき、ブラジャー６や衣服に汗が吸い込むことを防止できる。手で把持する為の１対の把持部に相当する肩対応部５Ａ，５Ｂを有するので、この肩対応部５Ａ，５Ｂを上側へ引っ張ることで、汗を吸収して濡れた状態の汗吸収体６を簡単に取外しできる。
【００３６】
胸部前面対応部３、胸部背面対応部４、左右１対の肩対応部５Ａ，５Ｂを設けたので、胸部前面側、胸部背面側、肩側で排出された汗を瞬時に吸収でき、また、首や顔や頭部から排出された汗が胸部前面側、胸部背面側、肩側に流れてきた場合でも、その汗を胸部前面対応部、胸部背面対応部、左右１対の肩対応部で吸収できる。依って、汗がブラジャー６のカップ部２Ａ，２Ｂに吸い込まれたり、その下方へ流れること、汗がブラジャー６のバンド部に吸い込まれたり、その下方へ流れること、汗がブラジャー６の肩紐部７Ａ，７Ｂに吸いこまれたり、その下方（例えば、汗をかきやすく且つ汗が留まりやすい腋）へ流れることを、を確実に防止することが可能になり、長時間汗が肌に付着することによるかぶれや汗疹を防止でき、ブラジャー６が汗で濡れた不快な状態を防止できる。
【００３７】
尚、汗吸収体１については、特に、肌に密着する面（内側）を、主に吸水性に優れる素材で形成し、更に、抗菌加工又は防臭加工を施した素材で形成することが好ましい。また、汗吸収体１のブラジャー６に密着する面（外側）を、汗を吸収する内側と同じ材質だと、吸収した汗を留めることが出来ず、さらにブラジャー６にまで、汗が透過してしまう、また、全く防水性の素材を用いた場合は、水蒸気も通さず逆に蒸れてしまうので、通気性・透湿性のある防水性素材で形成してもよい。
【００３８】
また、汗吸収体１については、種々の吸水性に優れる不織布で構成してもよいし、不織布以外の種々の素材（織布：例えば、タオル地等）、更には、種々の素材からなる多層構造に構成してもよい。例えば、肌に密着する内面側層としてセルロース系繊維（例えば、コットンやレーヨン）、中間層として合成繊維（例えば、ポリエチレンとポリプロピレンの複合繊維）、外面側層として防水性フィルム（例えば、ポリエチレンフィルム）、からなる３層構造の汗吸収体１を構成し採用してもよい。
【００３９】
次に、前記実施例を部分的に変更した変更例について説明する。
１）前記汗吸収体１は、ブラジャー６の内面側略全面に配置される胸部前面対応部３、胸部背面対応部４及び左右の肩対応部５Ａ，５Ｂから構成されるが、図４−１に示すように、ブラジャー６の左右のカップ部６Ａ，６Ｂの内面側に配置可能な右カップ対応部１１Ａと左カップ対応部１１Ｂの左右のカップ対応部１１Ａ，１１Ｂを含む胸部前面対応部１０のみからなる汗吸収体８を構成してもよい。なお、この胸部前面対応部１０は、前記汗吸収体１の胸部前面対応部３と同様の構成である。この汗吸収体８は、汗吸収体１における左右の肩対応部５Ａ，５Ｂ、胸部背面対応部４がないので、肩紐がないタイプのブラジャーを使用する際や、肩や背中が露出したキャミソール型の衣服を着衣する際にも使用できる。
【００４０】
また、この汗吸収体８は、使用後に身体Ｗから汗吸収体８を取外す際に手で把持して引っ張るための把持部９が、右カップ対応部１１Ａと左カップ対応部１１Ｂの中央付近に設けられている。この把持部９を、吸水性のある素材で構成することで、胸部の右乳部Ｗｂと左乳部Ｗｂの間の凹状の谷間部で流れてきた汗を効果的に吸収することができる。この場合、把持部９を左右前後方向に厚みを持たせた立体的な形状とすることも考えられる。この把持部９は、図４に示すような凸部からなる形状のものでもいいし、紐状のものを汗吸収体８の内側に目立たないように取り付けてもよい。
【００４１】
図４−２に示すように胸部前面対応部１０と別体の胸部背面対応部１０Ａのみからなる汗吸収体８Ａを構成してもよい。この汗吸収体８Ａは、前記汗吸収体１の胸部背面対応部４に相当し、前記汗吸収体８と共に使用できるものであり、略長方形状であって、必要に応じて使用後に汗吸収体８Ａを取外す際に手で引っ張るための把持部９Ａを２〜３箇所に設けてもよい。例えば、図示のように汗吸収体８Ａの左右両端部の下端部に、１対の把持部９Ａを設け、この場合把持部９Ａを後ろに回した手で持って下側に引っ張って汗吸収体８Ａを取外すことができる。
【００４２】
ここで、図４−１、図４−２に示す汗吸収体８，８Ａを装着する際は、ブラジャー６を最初に身体Ｗの胸部Ｗａに装着した状態で、ブラジャー６の内面側の汗吸収体８は胸部Ｗａの前面に、汗吸収体８Ａは胸部Ｗａの背面に夫々挿し込んで身体Ｗに密着状に保持して使用する。
【００４３】
２）前記汗吸収体８は、ブラジャー６の左右のカップ部６Ａ，６Ｂの内面側に配置可能な右カップ対応部１１Ａと左カップ対応部１１Ｂの左右のカップ対応部１１Ａ，１１Ｂを含む胸部前面対応部１０から構成されるが、右カップ部６Ａ及び左カップ部６Ｂの各々の内面側に配置可能なように、胸部前面対応部１０を分割して構成してもよい。（図示略）
【００４４】
３）図５に示すように、汗吸収体１２を身体Ｗに装着した状態で、胸部前面対応部３の左右の両端付近部と胸部背面対応部４の左右の両端付近部とを夫々連結可能な連結部材としての粘着テープ部１３Ａ，１３Ｂ、被粘着テープ部１４Ａ，１４Ｂを設けた汗吸収体１２を構成してもよい。ここで、連結部材に相当する粘着テープ部１３Ａ、１３Ｂは、粘着テープのかわりにマジックテープ（登録商標）等を適用可能である。
【００４５】
汗吸収体１２を身体Ｗに装着した状態で、胸部前面対応部３の粘着テープ部１３Ａ、１３Ｂの剥離紙を外し、夫々胸部背面対応部４の被粘着テープ部１４Ａ、１４Ｂに夫々貼り付けて胸部前面対応部３と胸部背面対応部４を接合する。そうすることで、その後の汗吸収体１２の上からブラジャー６を装着する際の利便性が高まる。
【００４６】
４）図６に示すように、汗吸収体１５を身体Ｗに装着した状態で、胸部前面対応部３の左右の両端付近部と胸部背面対応部４の左右の両端付近部とを夫々連結可能な連結部材としての紐１６Ａ，１６Ｂ，１７Ａ，１７Ｂを設けた構成としてもよい。汗吸収体１５の胸部前面対応部３の右端部に紐１６Ａが、左端部に紐１６Ｂが設けられ、胸部背面対応部４の右端部に紐１７Ａが、左端部に紐１７Ｂが夫々設けられている。ここで、連結部材に相当する紐１６Ａ、１６Ｂ、１７Ａ、１７Ｂは、紐状の不織布で構成され、胸部前面対応部３、胸部背面対応部４に縫い付けられている。
【００４７】
汗吸収体１５を身体Ｗに装着した状態で、胸部前面対応部３の紐１６Ａと胸部背面対応部４の紐１７Ａを、胸部前面対応部３の紐１６Ｂと胸部背面対応部４の紐１７Ｂを結び留める。そうすることで、前記と同様、その後の汗吸収体１２の上からブラジャー６を装着する際の利便性が高まる。
【００４８】
５）上記汗吸収体１，１２，１５の胸部前面対応部３の左右のカップ対応部２Ａ，２Ｂ、上記汗吸収体８の胸部前面対応部１０の左右のカップ対応部１１Ａ，１１Ｂは予め前側へ少し膨らんだ形状に構成されているが、これに限定されるのもではなく、汗吸収体１等の胸部前面対応部３は全く膨らんでいない平面状に構成してもよい。平面状に構成した場合であっても、汗吸収体１を装着した状態でブラジャー６を装着すれば、汗吸収体１が肌に密着状に保持可能となる。
【実施例２】
【００４９】
図７に示すように、ショーツ（図示略）とは別体の汗吸収体１８は、下半身用下着であるショーツの内面側に簡単に装着でき、下半身の汗を効果的に吸収できるものである。汗吸収体１８は、ショーツの前面部の内面側に配置可能な臀部前面対応部１９と、ショーツの背面部の内面側に配置可能な臀部背面対応部２０を有し、汗吸収体１８の上からショーツを装着した状態で、ショーツにより臀部付近略全面にほぼ密着状に保持可能となる。また、汗吸収体１８の身体Ｗの股下に密着する股下部分２２は、とくに厚みを帯びた構成となっている。これにより、既存の生理用品と同じ機能も得られる。
【００５０】
この汗吸収体１８によれば、ショーツが汗を吸収する前に汗を吸収できるので、ショーツが汗で濡れた不快な状態となることを防止することができる。
汗吸収体１８の左右両端には、ミシン目２１Ａ、２１Ｂが形成されており、使用により汗で濡れて使用済みとなった汗吸収体１８をミシン目２１Ａ、２１Ｂを切り離すだけで、簡単に身体から取外すことが容易になる。
【００５１】
本発明は前記実施例に限定されるものではなく、当業者であれば、前記実施例に種々の変更を付加した形態で実施可能であり、本発明はそのような変更された種々の形態を包含するものである。
【図面の簡単な説明】
【００５２】
【図１】本発明の実施例１に係る汗吸収体の伸長状態の平面図である。
【図２】汗吸収体を装着した状態を示す図である。
【図３】汗吸収体の上からブラジャーを装着した状態を示す図である。
【図４−１】変更形態に係る汗吸収体の平面図である。
【図４−２】変更形態に係る汗吸収体の平面図である。
【図５】変更形態に係る汗吸収体の平面図である。
【図６】変更形態に係る汗吸収体の平面図である。
【図７】本発明の実施例２に係る汗吸収体の斜視図である。
【符号の説明】
【００５３】
１，８，１２，１５，１８            汗吸収体
２Ａ，２Ｂ                    カップ対応部
３                            胸部前面対応部
４                            胸部背面対応部
５Ａ，５Ｂ                    肩対応部
６                            ブラジャー
７Ａ，７Ｂ                    肩紐
９                            把持部
１３Ａ，１３Ｂ                粘着テープ部
１４Ａ，１４Ｂ                      被粘着テープ部
１６Ａ，１６Ｂ，１７Ａ，１７Ｂ  紐
１９                          臀部前面対応部
Ｍ                            開口部  
【図１】
2007031843.tif 000003
【図２】
2007031843.tif 000004
【図３】
2007031843.tif 000005
【図４−１】
2007031843.tif 000006
【図４−２】
2007031843.tif 000007
【図５】
2007031843.tif 000008
【図６】
2007031843.tif 000009
【図７】
2007031843.tif 000010